(57)【要約】      （修正有）【課題】本発明は、ユーザーの要求を有効的に処理でき、ユーザーの使用体験度を有効的に向上することができるウェイクアップ方法、デバイス及びシステム、クラウドサーバーと可読記憶媒体を提供する。【解決手段】方法は、知能デバイスが音声識別段階に進入した後、ユーザーが音声方式で入力した第一要求を受信し、語義解析後の第一要求と予め格納したウェイクアップ単語が一致しているか否かを判断し、一致していると、受信した第一要求が知能デバイスを再度ウェイクアップするに用いられるのを確定することを含む。知能デバイスが音声識別段階に進入した後、受信した第一要求がウェイクアップ単語であると、当該第一要求に対してサービス満足処理を行わず、当該第一要求が再度ウェイクアップであることを識別でき、命令識別エラーを引き起こさず、ユーザーの予期を満足できる。【選択図】図１
2019015952.tif 000002
【特許請求の範囲】
【請求項１】
知能デバイスが音声識別段階に進入した後、ユーザーが音声方式で入力した第一要求を受信し、
語義解析後の前記第一要求と予め格納したウェイクアップ単語が一致しているか否かを判断し、
一致していると、受信した前記第一要求が前記知能デバイスを再度ウェイクアップするに用いられるのを確定することを含む、音声ウェイクアップ方法。
【請求項２】
知能デバイスが音声識別段階に進入すると、ユーザーが音声方式で入力した第一要求を受信する前に、前記音声ウェイクアップ方法は、さらに、
前記ユーザーが音声方式で入力した第二要求を受信し、
前記第二要求に基づいて、ローカルのサービス情報ベースで前記第二要求に対応するサービスを照会して、前記第二要求に対応するサービス満足処理の実施を開始することを含み、
さらに、受信した前記第一要求が前記知能デバイスを再度ウェイクアップするに用いられるのを確定した後、前記音声ウェイクアップ方法は、さらに、
前記第二要求に対応するサービス満足処理を停止することを含む、請求項1に記載の音声ウェイクアップ方法。
【請求項３】
知能デバイスが音声識別段階に進入する場合、ユーザーが音声方式で入力した第一要求を受信する前に、前記音声ウェイクアップ方法は、さらに、
前記ユーザーが音声方式で入力した第二要求を受信し、
クラウドサーバーに前記知能デバイスの標識と前記第二要求を発送して、前記クラウドサーバーに前記知能デバイスで前記第二要求に対応するサービス満足処理を開始させることを含み、
さらに、受信した前記第一要求が前記知能デバイスを再度ウェイクアップするに用いられるのを確定した後、前記音声ウェイクアップ方法は、さらに、
前記クラウドサーバーに前記知能デバイスの標識を持っている再度ウェイクアップ通知メッセージを発送して、前記クラウドサーバーに前記知能デバイスの標識に基づいて、対応する前記知能デバイスを確定して再度ウェイクアップさせ、また前記第二要求に対応するサービス満足処理を停止し、又は、
前記クラウドサーバーに前記知能デバイスの標識と前記第一要求を発送して、前記クラウドサーバーに前記知能デバイスの標識に基づいて予め格納した前記知能デバイスのウェイクアップ単語を獲得させ、語義解析後の前記第一要求が予め格納した前記ウェイクアップ単語と一致しているか否かを判断させ、一致していると、受信した前記第一要求が前記知能デバイスを再度ウェイクアップするに用いられるのを確定し、前記第二要求に対応するサービス満足処理を停止させることを含む、請求項1に記載の音声ウェイクアップ方法。
【請求項４】
前記ユーザーが音声方式で入力した第二要求を受信してから、クラウドサーバーに前記知能デバイスの標識を持っている前記第二要求を発送する前に、前記音声ウェイクアップ方法は、さらに、
前記知能デバイスのローカルのサービス情報ベースで前記第二要求に対応するサービスを照会されなかったことを含む、請求項3に記載の音声ウェイクアップ方法。
【請求項５】
クラウドサーバーに前記知能デバイスの標識と前記第二要求を発送した後、前記音声ウェイクアップ方法は、さらに、
現在時刻と前記クラウドサーバーへ前記第二要求を発送する時刻の時間差を獲得し、
前記クラウドサーバーが発送した前記第二要求のサービスフィードバックを受信するまでに、前記ユーザーに前記時間差を表示し、サービスフィードバックを受信すると前記時間差の表示を取り消し、
前記ユーザーが表示された前記時間差に基づいて前記時間差が予め設定した時間長さより大きいことを確定した時に音声入力した前記ウェイクアップ単語を受信して、前記知能デバイスを再度ウェイクアップすることを含み、
または、クラウドサーバーに前記知能デバイスの標識と前記第二要求を発送した後、前記音声ウェイクアップ方法は、さらに、 
前記第二要求を発送した後の予め設定時間内で前記クラウドサーバーのサービスフィードバックを受信したか否かを検出し、
受信しなかったら、前記ユーザーに再度ウェイクアップの提示メッセージを表示し、
前記ユーザーが音声入力した前記ウェイクアップ単語を受信して、前記知能デバイスを再度ウェイクアップすることを含む、請求項3に記載の音声ウェイクアップ方法。
【請求項６】
知能デバイスが音声識別段階に進入した後、前記知能デバイスが発送した前記知能デバイスの標識と前記知能デバイスが受信したユーザーが入力した第一要求を受信し、
前記知能デバイスの標識に基づいて予め格納した前記知能デバイスのウェイクアップ単語を獲得し、
語義解析後の前記第一要求が予め格納した前記ウェイクアップ単語と一致しているか否かを判断し、
一致していると、受信した前記第一要求が前記知能デバイスを再度ウェイクアップするに用いられるのを確定することを含む、音声ウェイクアップ方法。
【請求項７】
前記知能デバイスが発送した前記知能デバイスの標識と第一要求を受信する前に、前記音声ウェイクアップ方法は、さらに、
前記知能デバイスが発送した前記知能デバイスの標識と前記知能デバイスが受信したユーザーが入力した第二要求を受信し、
前記知能デバイスで前記第二要求に対応するサービス満足処理の実施を開始することを含み、
受信した前記第一要求が前記知能デバイスを再度ウェイクアップするに用いられるのを確定した後、前記音声ウェイクアップ方法は、さらに、
前記第二要求に対応するサービス満足処理を停止することを含む、請求項6に記載の音声ウェイクアップ方法。
【請求項８】
知能デバイスが音声識別段階に進入すると、ユーザーが音声方式で入力した第一要求を受信する受信モジュールと、
語義解析後の前記第一要求と予め格納したウェイクアップ単語が一致しているか否かを判断する判断モジュールと、
前記第一要求が予め格納した前記ウェイクアップ単語と一致していると、受信した前記第一要求が前記知能デバイスを再度ウェイクアップするに用いられるのを確定する確定モジュールとを含む、知能デバイス。
【請求項９】
前記知能デバイスはさらにサービス満足処理モジュールを含み、
前記受信モジュールは、さらに、前記ユーザーが音声方式で入力した第二要求を受信し、
サービス満足処理モジュールは、前記第二要求に基づいて、ローカルのサービス情報ベースで前記第二要求に対応するサービスを照会して、前記第二要求に対応するサービス満足処理の実施を開始し、
さらに、前記サービス満足処理モジュールは、さらに前記第二要求に対応するサービス満足処理を停止する、請求項8に記載の知能デバイス。
【請求項１０】
前記知能デバイスは、さらに発送モジュールを含み、
前記受信モジュールは、さらに、前記ユーザーが音声方式で入力した第二要求を受信し、
前記発送モジュールは、クラウドサーバーに前記知能デバイスの標識と前記第二要求を発送して、前記クラウドサーバーに前記知能デバイスで前記第二要求に対応するサービス満足処理を開始させ、
さらに、前記発送モジュールは、さらに、前記クラウドサーバーに前記知能デバイスの標識を持っている再度ウェイクアップ通知メッセージを発送して、前記クラウドサーバーに前記知能デバイスの標識に基づいて、対応する前記知能デバイスを確定して再度ウェイクアップさせ、また前記第二要求に対応するサービス満足処理を停止し、
又は、前記発送モジュールは、さらに、前記クラウドサーバーに前記知能デバイスの標識と前記第一要求を発送して、前記クラウドサーバーに前記知能デバイスの標識に基づいて予め格納した前記知能デバイスのウェイクアップ単語を獲得させ、語義解析後の前記第一要求が予め格納した前記ウェイクアップ単語と一致しているか否かを判断させ、一致していると、受信した前記第一要求が前記知能デバイスを再度ウェイクアップするに用いられるのを確定し、前記第二要求に対応するサービス満足処理を停止する、請求項9に記載の知能デバイス。
【請求項１１】
前記サービス満足処理モジュールは、さらに前記知能デバイスのローカルのサービス情報ベースで前記第二要求に対応するサービスを照会されなかった、請求項10に記載の知能デバイス。
【請求項１２】
前記知能デバイスは、さらに、獲得モジュールと表示モジュールとを含み、
前記獲得モジュールは、現在時刻と前記クラウドサーバーへ前記第二要求を発送する時刻の時間差を獲得し、
前記表示モジュールは、前記クラウドサーバーが発送した前記第二要求のサービスフィードバックを受信するまでに、前記ユーザーに前記時間差を表示し、サービスフィードバックを受信すると前記時間差の表示を取り消し、
前記受信モジュールは、さらに前記ユーザーが表示された前記時間差に基づいて前記時間差が予め設定した時間長さより大きいことを確定した時に音声入力した前記ウェイクアップ単語を受信して、前記知能デバイスを再度ウェイクアップし、
または、前記知能デバイスは、さらに、検出モジュールを含み、 
前記検出モジュールは、前記第二要求を発送した後の予め設定時間内で前記クラウドサーバーのサービスフィードバックを受信したか否かを検出し、
前記表示モジュールは、さらに、前記検出モジュールが前記第二要求後の予め設定の時間長さ内で前記クラウドサーバーのサービスフィードバックを受信しなかったことを検出すると、前記ユーザーに再度ウェイクアップの提示メッセージを表示し、
前記受信モジュールは、さらに前記ユーザーが音声入力した前記ウェイクアップ単語を受信して、前記知能デバイスを再度ウェイクアップする、請求項10に記載の知能デバイス。
【請求項１３】
知能デバイスが音声識別段階に進入した後、前記知能デバイスが発送した前記知能デバイスの標識と前記知能デバイスが受信したユーザーが入力した第一要求を受信する受信モジュールと、
前記知能デバイスの標識に基づいて予め格納した前記知能デバイスのウェイクアップ単語を獲得する獲得モジュールと、
語義解析後の前記第一要求が予め格納した前記ウェイクアップ単語と一致しているか否かを判断する判断モジュールと、
前記判断モジュールが語義解析後の前記第一要求と予め格納した前記ウェイクアップ単語が一致していることを判断すると、受信した前記第一要求が前記知能デバイスを再度ウェイクアップするに用いられるのを確定する確定モジュールとを含む、クラウドサーバー。
【請求項１４】
前記クラウドサーバーは、さらに、サービス満足処理モジュールを含み、
前記受信モジュールは、さらに、前記知能デバイスが発送した前記知能デバイスの標識と前記知能デバイスが受信したユーザーが入力した第二要求を受信し、
前記サービス満足処理モジュールは、前記知能デバイスで前記第二要求に対応するサービス満足処理の実施を開始し、
さらに、前記サービス満足処理モジュールは、さらに前記第二要求に対応するサービス満足処理を停止する、請求項13に記載のクラウドサーバー。
【請求項１５】
知能デバイスと前記クラウドサーバーとを含み、
前記知能デバイスは、前記クラウドサーバーと通信接続し、
前記知能デバイスは請求項１０〜１２の何れか一項に記載の知能デバイスを利用し、
前記クラウドサーバーは請求項13又は14に記載のクラウドサーバーを利用する、音声ウェイクアップシステム。
【請求項１６】
一つ又は複数のプロセッサーと、
一つ又は複数のプログラムを格納するメモリとを含む知能デバイスであって、
前記一つ又は複数のプログラムが前記一つ又は複数のプロセッサーによって実行されると、前記一つ又は複数のプロセッサーが請求項１〜５の何れか一項に記載の音声ウェイクアップ方法を実現する、知能デバイス。
【請求項１７】
一つ又は複数のプロセッサーと、
一つ又は複数のプログラムを格納するメモリとを含むクラウドサーバーであって、
前記一つ又は複数のプログラムが前記一つ又は複数のプロセッサーによって実行されると、前記一つ又は複数のプロセッサーが請求項6又は7に記載の音声ウェイクアップ方法を実現する、クラウドサーバー。
【請求項１８】
プロセッサーに、請求項１〜５の何れかの一項に記載の音声ウェイクアップ方法を実行させる、又は、前記プロセッサーに、請求項6又は7に記載の音声ウェイクアップ方法を実行させるためのコンピュータプログラム。
【発明の詳細な説明】
【技術分野】
【０００１】
本発明は、コンピュータ応用技術分野に関し、特に、ウェイクアップ方法、知能デバイス、サーバー、デバイス及び可読媒体に関する。
【背景技術】
【０００２】
科学技術の発展に伴って、ユーザーが知能デバイスをより便利に利用されるように、従来の多い知能デバイスはユーザーの音声入力をサポートしている。
【０００３】
知能デバイスが長い間オンライン状態にあると、知能デバイスの消費電力が大きくなり、寿命が短くなる。そのため、従来の知能デバイスは、動作しない時はスリープ状態になって、消費電力を節約する。ユーザーが知能デバイスを利用する必要がある時、ウェイクアップ単語で知能デバイスをウェイクアップすることができる。その後、知能デバイスは、音声識別状態に進入する。この状態で、知能デバイスは、ユーザーが入力した音声形式の要求を受信し、クラウドサーバーに協力して、ユーザーの音声を識別し、語義分析を行い、ユーザーが要求したサービスを満足させる。従来の技術で、ユーザーが知能デバイスをウェイクアップする時、ウェイクアップ単語を少なくとも2つ音声入力すると、第一回のウェイクアップ単語は知能デバイスをウェイクアップするに用いられると識別され、その後のウェイクアップ単語は音声要求の入力として識別され、その時、知能デバイスはクラウドサーバーに協力して、当該ウェイクアップ単語に基づいてユーザーが要求するサービスを照会する。
【０００４】
そのため、従来のウェイクアップ案によると、ウェイクアップする時にウェイクアップ単語を少なくとも二回入力すると、二回目のウェイクアップ単語はユーザーの音声要求であると誤認され、命令識別エラーを引き起こし、ユーザーの予期を満足させることができなくなる。
【発明の概要】
【発明が解決しようとする課題】
【０００５】
本発明は、命令識別の正確性を向上させ、ユーザーの予期を満足させるウェイクアップ方法、知能デバイス、サーバー、デバイス及び可読媒体を提供する。
【課題を解決するための手段】
【０００６】
本発明は、
知能デバイスが音声識別段階に進入した後、ユーザーが音声方式で入力した第一要求を受信し、
語義解析後の前記第一要求と予め格納したウェイクアップ単語が一致しているか否かを判断し、
一致していると、受信した前記第一要求が前記知能デバイスを再度ウェイクアップするに用いられるのを確定することを含む
ウェイクアップ方法を提供する。
【０００７】
さらに、好ましくは、前記の方法で、知能デバイスが音声識別段階に進入すると、ユーザーが音声方式で入力した第一要求を受信する前に、前記方法は、さらに、
前記ユーザーが音声方式で入力した第二要求を受信し、
前記第二要求に基づいて、ローカルのサービス情報ベースで前記第二要求に対応するサービスを照会して、前記第二要求に対応するサービス満足処理の実施を開始することを含み、
さらに、受信した前記第一要求が前記知能デバイスを再度ウェイクアップするに用いられるのを確定した後、前記方法は、さらに、
前記第二要求に対応するサービス満足処理を停止することを含む。
【０００８】
さらに、好ましくは、前記の方法で、知能デバイスが音声識別段階に進入する場合、ユーザーが音声方式で入力した第一要求を受信する前に、前記方法は、さらに、
前記ユーザーが音声方式で入力した第二要求を受信し、
クラウドサーバーに前記知能デバイス標識と前記第二要求を発送して、前記クラウドサーバーに前記知能デバイスで前記第二要求に対応するサービス満足処理を開始させることを含み、
さらに、受信した前記第一要求が前記知能デバイスを再度ウェイクアップするに用いられるのを確定した後、前記方法は、さらに、
前記クラウドサーバーに前記知能デバイス標識を持っている再度ウェイクアップ通知メッセージを発送して、前記クラウドサーバーに前記知能デバイス標識に基づいて、対応する前記知能デバイスを確定して再度ウェイクアップさせ、また前記第二要求に対応するサービス満足処理を停止し、又は、
前記クラウドサーバーに前記知能デバイス標識と前記第一要求を発送して、前記クラウドサーバーに前記知能デバイス標識に基づいて予め格納した前記知能デバイスのウェイクアップ単語を獲得させ、語義解析後の前記第一要求が予め格納した前記ウェイクアップ単語と一致しているか否かを判断させ、一致していると、受信した前記第一要求が前記知能デバイスを再度ウェイクアップするに用いられるのを確定し、前記第二要求に対応するサービス満足処理を停止させることを含む。
【０００９】
さらに、好ましくは、前記の方法で、前記ユーザーが音声方式で入力した第二要求を受信してから、クラウドサーバーに前記知能デバイス標識を持っている前記第二要求を発送する前に、前記方法は、さらに、
前記知能デバイスのローカルのサービス情報ベースで前記第二要求に対応するサービスを照会されなかったことを含む。
【００１０】
さらに、好ましくは、前記の方法で、クラウドサーバーに前記知能デバイス標識と前記第二要求を発送した後、前記方法は、さらに、
現在時刻と前記クラウドサーバーへ前記第二要求を発送する時刻の時間差を獲得し、
前記クラウドサーバーが発送した前記第二要求のサービスフィードバックを受信するまでに、前記ユーザーに前記時間差を表示し、サービスフィードバックを受信すると前記時間差の表示を取り消し、
前記ユーザーが表示された前記時間差に基づいて前記時間差が予め設定した時間長さより大きいことを確定した時に音声入力した前記ウェイクアップ単語を受信して、前記知能デバイスを再度ウェイクアップすることを含み、
または、クラウドサーバーに前記知能デバイス標識と前記第二要求を発送した後、前記方法は、さらに、 
前記第二要求を発送した後の予め設定時間内で前記クラウドサーバーのサービスフィードバックを受信したか否かを検出し、
受信しなかったら、前記ユーザーに再度ウェイクアップの提示メッセージを表示し、
前記ユーザーが音声入力した前記ウェイクアップ単語を受信して、前記知能デバイスを再度ウェイクアップすることを含む。
【００１１】
本発明は、さらに、
知能デバイスが音声識別段階に進入した後、前記知能デバイスが発送した前記知能デバイス標識と前記知能デバイスが受信したユーザーが入力した第一要求を受信し、
前記知能デバイス標識に基づいて予め格納した前記知能デバイスのウェイクアップ単語を獲得し、
語義解析後の前記第一要求が予め格納した前記ウェイクアップ単語と一致しているか否かを判断し、
一致していると、受信した前記第一要求が前記知能デバイスを再度ウェイクアップするに用いられるのを確定することを含む
音声ウェイクアップ方法を提供する。
【００１２】
さらに、好ましくは、前記の方法で、前記知能デバイスが発送した前記知能デバイス標識と第一要求を受信する前に、前記方法は、さらに、
前記知能デバイスが発送した前記知能デバイス標識と前記知能デバイスが受信したユーザーが入力した第二要求を受信し、
前記知能デバイスで前記第二要求に対応するサービス満足処理の実施を開始し、
受信した前記第一要求が前記知能デバイスを再度ウェイクアップするに用いられるのを確定した後、前記方法は、さらに、
前記第二要求に対応するサービス満足処理を停止することを含む。
【００１３】
本発明は、
前記知能デバイスが音声識別段階に進入すると、ユーザーが音声方式で入力した第一要求を受信する受信モジュールと、
語義解析後の前記第一要求と予め格納したウェイクアップ単語が一致しているか否かを判断する判断モジュールと、
前記第一要求が予め格納した前記ウェイクアップ単語と一致していると、受信した前記第一要求が前記知能デバイスを再度ウェイクアップするに用いられるのを確定する確定モジュールとを含む
知能デバイスを提供する。
【００１４】
さらに、好ましくは、前記知能デバイスはさらにサービス満足処理モジュールを含み、
前記受信モジュールは、さらに、前記ユーザーが音声方式で入力した第二要求を受信し、
サービス満足処理モジュールは、前記第二要求に基づいて、ローカルのサービス情報ベースで前記第二要求に対応するサービスを照会して、前記第二要求に対応するサービス満足処理の実施を開始し、
さらに、前記サービス満足処理モジュールは、さらに前記第二要求に対応するサービス満足処理を停止する。
【００１５】
さらに、好ましくは、前記の知能デバイスは、さらに発送モジュールを含み、
前記受信モジュールは、さらに、前記ユーザーが音声方式で入力した第二要求を受信し、
前記発送モジュールは、クラウドサーバーに前記知能デバイス標識と前記第二要求を発送して、前記クラウドサーバーに前記知能デバイスで前記第二要求に対応するサービス満足処理を開始させ、
さらに、前記発送モジュールは、さらに、前記クラウドサーバーに前記知能デバイス標識を持っている再度ウェイクアップ通知メッセージを発送して、前記クラウドサーバーに前記知能デバイス標識に基づいて、対応する前記知能デバイスを確定して再度ウェイクアップさせ、また前記第二要求に対応するサービス満足処理を停止し、
又は、前記発送モジュールは、さらに、前記クラウドサーバーに前記知能デバイス標識と前記第一要求を発送して、前記クラウドサーバーに前記知能デバイス標識に基づいて予め格納した前記知能デバイスのウェイクアップ単語を獲得させ、語義解析後の前記第一要求が予め格納した前記ウェイクアップ単語と一致しているか否かを判断させ、一致していると、受信した前記第一要求が前記知能デバイスを再度ウェイクアップするに用いられるのを確定し、前記第二要求に対応するサービス満足処理を停止する。
【００１６】
さらに、好ましくは、前記の知能デバイスで、前記サービス満足処理モジュールは、さらに前記知能デバイスのローカルのサービス情報ベースで前記第二要求に対応するサービスを照会されなかった。
【００１７】
さらに、好ましくは、前記の知能デバイスは、さらに、獲得モジュールと表示モジュールとを含み、
前記獲得モジュールは、現在時刻と前記クラウドサーバーへ前記第二要求を発送する時刻の時間差を獲得し、
前記表示モジュールは、前記クラウドサーバーが発送した前記第二要求のサービスフィードバックを受信するまでに、前記ユーザーに前記時間差を表示し、サービスフィードバックを受信すると前記時間差の表示を取り消し、
前記受信モジュールは、さらに前記ユーザーが表示された前記時間差に基づいて前記時間差が予め設定した時間長さより大きいことを確定した時に音声入力した前記ウェイクアップ単語を受信して、前記知能デバイスを再度ウェイクアップし、
または、前記知能デバイスは、さらに、検出モジュールを含み、 
前記検出モジュールは、前記第二要求を発送した後の予め設定時間内で前記クラウドサーバーのサービスフィードバックを受信したか否かを検出し、
前記表示モジュールは、さらに、前記検出モジュールが前記第二要求後の予め設定の時間長さ内で前記クラウドサーバーのサービスフィードバックを受信しなかったことを検出すると、前記ユーザーに再度ウェイクアップの提示メッセージを表示し、
前記受信モジュールは、さらに前記ユーザーが音声入力した前記ウェイクアップ単語を受信して、前記知能デバイスを再度ウェイクアップする。
【００１８】
本発明は、さらに、
知能デバイスが音声識別段階に進入した後、前記知能デバイスが発送した前記知能デバイス標識と前記知能デバイスが受信したユーザーが入力した第一要求を受信する受信モジュールと、
前記知能デバイス標識に基づいて予め格納した前記知能デバイスのウェイクアップ単語を獲得する獲得モジュールと、
語義解析後の前記第一要求が予め格納した前記ウェイクアップ単語と一致しているか否かを判断する判断モジュールと、
前記判断モジュールが語義解析後の前記第一要求と予め格納した前記ウェイクアップ単語が一致していることを判断すると、受信した前記第一要求が前記知能デバイスを再度ウェイクアップするに用いられるのを確定する確定モジュールとを含むクラウドサーバーを提供する。
【００１９】
さらに、好ましくは、前記のクラウドサーバーは、さらに、サービス満足処理モジュールを含み、
前記受信モジュールは、さらに前記知能デバイスが発送した前記知能デバイス標識と前記知能デバイスが受信したユーザーが入力した第二要求を受信し、
前記サービス満足処理モジュールは、前記知能デバイスで前記第二要求に対応するサービス満足処理の実施を開始し、
さらに、前記サービス満足処理モジュールは、さらに前記第二要求に対応するサービス満足処理を停止する。
【００２０】
本発明は、さらに、知能デバイスと前記クラウドサーバーとを含む音声ウェイクアップシステムを提供し、前記知能デバイスは、前記クラウドサーバーと通信接続し、前記知能デバイスは前記の知能デバイスを利用し、前記クラウドサーバーは前記クラウドサーバーを利用する。
【００２１】
本発明は、さらに、
一つ又は複数のプロセッサーと、
一つ又は複数のプログラムを格納するメモリとを含む知能デバイスを提供し、
前記一つ又は複数のプログラムが前記一つ又は複数のプロセッサーによって実行されると、前記一つ又は複数のプロセッサーが前記の音声ウェイクアップ方法を実現する。
【００２２】
本発明は、さらに、
一つ又は複数のプロセッサーと、
一つ又は複数のプログラムを格納するメモリとを含むクラウドサーバーを提供し、
前記一つ又は複数のプログラムが前記一つ又は複数のプロセッサーによって実行されると、前記一つ又は複数のプロセッサーが前記の音声ウェイクアップ方法を実現する。
【００２３】
本発明は、さらに、コンピュータープログラムを記憶するコンピュータ可読媒体を提供し、当該プログラムがプロセッサーによって実行されると、前記の音声ウェイクアップ方法を実現する。
【００２４】
本発明の音声ウェイクアップ方法、知能デバイス、サーバー、デバイス及び可読媒体は、前記技術案を利用して、知能デバイスが音声識別段階に進入した後、受信したユーザーの第一要求がウェイクアップ単語であると、当該第一要求に対してサービス満足処理を行わなく、当該第一要求が再度ウェイクアップであることを識別でき、命令識別エラーを引き起こしなく、ユーザーの予期を満足できる。本発明の音声ウェイクアップ方案は、ユーザーの要求を有効的に処理でき、ユーザーの使用体験度を有効的に向上させることができる。
【図面の簡単な説明】
【００２５】
【図１】本発明の音声ウェイクアップ方法の実施例一のフローチャートである。
【図２】本発明の音声ウェイクアップ方法の実施例二のフローチャートである。
【図３】本発明の音声ウェイクアップ方法の実施例三のシグナリング図である。
【図４】本発明の音声ウェイクアップ方法の実施例四のシグナリング図である。
【図５】本発明の知能デバイス実施例一の構造図である。
【図６】本発明の知能デバイス実施例二の構造図である。
【図７】本発明のクラウドサーバーの実施例一の構造図である。
【図８】本発明のクラウドサーバーの実施例二の構造図である。
【図９】本発明の音声ウェイクアップシステムの実施例の構造図である。
【図１０】本発明の知能デバイス実施例の構造図である。
【図１１】本発明で提供するクラウドサーバーの例示図である。
【発明を実施するための形態】
【００２６】
本発明の目的、技術案及び利得点をより明確にするために、以下では図面と具体的な実施例を結合して、本発明を詳細に記述する。
【００２７】
図1は、本発明の音声ウェイクアップ方法の実施例一のフローチャートである。図1に示すように、本実施例の音声ウェイクアップ方法は、具体的に以下のステップを含んでいる。
【００２８】
100、知能デバイスが音声識別段階に進入すると、ユーザーが音声方式で入力した第一要求を受信する。
【００２９】
本実施例の音声ウェイクアップ方法の実行主体は、知能デバイスであって、例えば、本実施例の知能デバイスは、携帯電話、タブレットコンピュータ又は、他のAndroid（登録商標）オペレーティングシステム（Operating System、OS）、IOSのOS又は、Linux（登録商標）埋め込み型OSをインストールしたハードウェアデバイスであっても良い。
【００３０】
本実施例の知能デバイスは利用される時、音声入力をサポートし、消費電力を減少するように、本実施例の知能デバイスは長い間利用しない場合スタンバイ状態にある。ユーザーは、知能デバイスにウェイクアップ単語を入力して、知能デバイスをウェイクアップしてもよい。そうすると、知能デバイスは、音声識別段階に進入する。
【００３１】
例えば、予め設定時間閾値を設置し、知能デバイスが予め設定時間閾値に時間長さ内に何れの音声入力を受信しなかったら、その時、知能デバイスはスタンバイ段階に進入する。具体的に、予め設定時間閾値は知能デバイスに格納されていてもよく、知能デバイス自体で予め設定時間閾値の時間長さ内でユーザーの何れの音声入力を受信しなかったかを検出し、受信しなかったら、スタンバイ段階に進入する。
【００３２】
又は、知能デバイスと遠隔無線通信するクラウドサーバーによって当該予め設定時間閾値を格納してもよい。知能デバイスが動作する時、ユーザーの音声要求だけを受信し、その後、ユーザーの音声要求をクラウドサーバーへ発送して、クラウドサーバーによって処理する。知能デバイスに故障がなくネットワークが正常である時、クラウドサーバーが予め設定時間閾値の時間長さ内に知能デバイスが発送した何れの音声入力を受信しなかったら、ユーザーが予め設定時間閾値の時間長さ内に知能デバイスに何れの音声入力も発送しなかったことを確定できる。この時、クラウドサーバーは、知能デバイスにスリープに進入する指示メッセージを発送し、知能デバイスは受信した指示メッセージに基づいて、消費電力を低減し、スリープ段階に進入してもよい。
【００３３】
知能デバイスが音声識別段階に進入した後、知能デバイスはユーザーの音声要求を受信してから、単独にユーザーの音声要求を処理してもよく、クラウドサーバーに協力してユーザーの音声要求を処理してもよく、処理過程は、音声識別、語義解析及びサービス満足を含んでいてもよい。即ち、先ず、ユーザーが入力した音声を識別し、文字情報として識別し、その後、識別した文字情報を語義解析し、ユーザーの意図即ちユーザーの要求を分析し、最後に、ユーザーの要求に対応するサービスを確定して、ユーザーのサービスを満足させる。知能デバイスは、完全に解放してもよく、前記方式のように、ユーザーの音声要求を受信した後、直接にクラウドサーバーへ発送して、クラウドサーバーによって音声識別、語義解析及びサービス満足の処理を行う。又は、知能デバイスが所定の処理機能を有し、所定のサービス情報ベースを格納しており、音声識別、語義解析及びサービス満足は全部知能デバイスで行ってもよい。このようになると、知能デバイスに対する要求が高くなるので、知能デバイスだけによって語義識別と語義解析を行ってから、クラウドサーバーによってサービス満足処理を行っても良い。本実施例のサービス満足処理は、即ちユーザーへ当該要求を満足させるサービスを提供する処理過程である。例えば、要求は、「カメラを起動する」であり、「今日の金の価格」、「今日の為替レート」を照会する。
【００３４】
本実施例で、知能デバイスが音声識別と語義解析をすることができることを例とする。さらに、サービス満足は知能デバイス側で行ってもよく、クラウドサーバー側で行っても良い。知能デバイスはさらにウェイクアップ単語を受信した時、音声識別段階に進入した後、ユーザーが音声方式で入力した第一要求を受信する。その後、知能デバイスは、さらに、当該第一要求に対して音声識別と語義解析を行い、解析してから当該第一要求に対応する文字形式を獲得する。例えば、ユーザーが入力した音声形式の第一要求は、当該知能デバイスのウェイクアップ単語であると、対応する音声識別、語義解析後の第一要求は文字形式のウェイクアップ単語であってもよい。
【００３５】
101、語義解析後の第一要求と予め格納したウェイクアップ単語が一致しているか否かを判断し、一致していると、ステップ102を実行し、そうでないと、第一要求に対してサービス満足処理を行う。
【００３６】
102、受信した第一要求が知能デバイスを再度ウェイクアップするに用いられるのを確定する。
【００３７】
本実施例で、語義解析後の第一要求を予め格納したウェイクアップ単語と比較して、語義解析後の第一要求が予め格納したウェイクアップ単語と一致しているか否かを判断し、一致していると、当該第一要求が知能デバイスを再度ウェイクアップするに用いられることを確定する。そうでないと、第一要求に対してサービス満足処理を行う。
【００３８】
好ましくは、実際の応用では、知能デバイスが受信した全部の第一要求をそれぞれ予め格納したウェイクアップ単語と比較し、それは処理効率の低下を引き起こす。そのため、先ず語義解析後の第一要求の文字数を獲得し、その文字数が予め格納したウェイクアップ単語の文字数と等しいと、語義解析後の第一要求を予め格納したウェイクアップ単語と比較し、両者が一致しているか否かを判断して、処理效率を向上できる。
【００３９】
本実施例の音声ウェイクアップ方法は、知能デバイスが音声識別段階に進入する場合、ユーザーが音声方式で入力した第一要求を受信し、語義解析後の前記第一要求と予め格納したウェイクアップ単語が一致しているか否かを判断し、一致していると、受信した前記第一要求が前記知能デバイスを再度ウェイクアップするに用いられるのを確定する。本実施例の技術方案は、知能デバイスが音声識別段階に進入した後、受信した第一要求がウェイクアップ単語であると、当該第一要求に対してサービス満足処理を行うことなく、当該第一要求が再度ウェイクアップであることを識別でき、命令識別エラーを引き起こさず、ユーザーの予期を満足できる。本実施例の音声ウェイクアップ方案は、ユーザーの要求を有効的に処理でき、ユーザーの使用体験度を有効的に向上させることができる。
【００４０】
好ましくは、前記図1に示す実施例のステップ100の「知能デバイスが音声識別段階に進入すると、ユーザーが音声方式で入力した第一要求を受信する」前に、さらに、ユーザーが音声方式で入力した第二要求を受信し、第二要求に基づいて、ローカルのサービス情報ベースで第二要求に対応するサービスを照会し、第二要求に対応するサービス満足処理の実施を開始する。
【００４１】
知能デバイスが音声識別段階に進入した後、知能デバイスはユーザーの音声要求を処理できる。例えば、知能デバイスはユーザーが音声方式で入力した第二要求を受信してもよい。その後、当該第二要求に対して音声識別、語義解析を行って、第二要求の文字数がウェイクアップ単語の文字数と等しくないことを確定する。その後、第二要求に対してサービス満足処理を始める。具体的に、知能デバイスのローカルのサービス情報ベースで当該第二要求に対応するサービスを照会し、ユーザーに当該サービスを提供する。例えば、ユーザーは、音声で「XXXに電話を掛けてください」を入力すると、この時、知能デバイスは、当該要求に対して音声識別と語義解析を行ってから、サービス情報ベースで当該「XXXに電話を掛けてください」に対応するサービスの起動方式を照会し、その後、ユーザーのために当該サービスを起動し、即ち連絡帳から直接にXXXの電話を照会し、電話を掛ける。知能デバイス側のサービス情報ベースには、サービスの名称例えば「電話を掛ける」、サービスの実現方式等の知能デバイス側で実現する全部のサービスの情報を含んでいてもよい。
【００４２】
この時、対応するにステップ102で「受信した第一要求が知能デバイスを再度ウェイクアップするに用いられるのを確定する」の後に、さらに、第二要求に対応するサービス満足処理を停止することを含む。
【００４３】
即ち、ユーザーが第二要求を出した後、知能デバイスにウェイクアップ単語を発送し、その時、知能デバイスはユーザーが当該知能デバイスを再度ウェイクアップするのを必要とするのを確定し、その前に実現しなかったサービス満足処理は全部停止し、例えば、まだ当該第二要求のサービスの実現方式を照会していると、その時第二要求に対応するサービスの実現方式を照会することを停止し、現在第二要求に対応するサービスを提供していると、ユーザーに第二要求に対応するサービスを提供することを直ぐ停止する。
【００４４】
好ましくは、本実施例で、知能デバイスが第一要求と第二要求に対して音声識別及び語義解析を行わなく、直接にクラウドサーバーに第一要求と第二要求を発送する場合、音声活性検出（Voice activity detection、VAD）を考慮して、第一要求は第二要求を発送した後所定の時間閾値の後に発送されるべきであり、クラウドサーバーが当該第二要求を受信することを確保し、その時、第一要求を発送してもよい。所定の時間閾値は、実際の経験に基づいて選択すればよい。
【００４５】
前記実施例で、知能デバイスが音声識別、語義分析及びサービス満足を処理することを例とし、好ましくは、クラウドサーバーによってサービス満足処理を行ってもよく、具体的に、ステップ100で「知能デバイスが音声識別段階に進入する場合、ユーザーが音声方式で入力した第一要求を受信する」前に、さらに、ユーザーが音声方式で入力した第二要求を受信し、クラウドサーバーに知能デバイス標識と第二要求を発送して、クラウドサーバーに知能デバイスで第二要求に対応するサービス満足処理の実施を開始させる。
【００４６】
同じ理由によって、知能デバイスは第二要求を直接にクラウドサーバーに発送してもよく、第二要求を音声識別及び語義解析してから、第二要求の語義解析後の文字情報をクラウドサーバーへ発送してもよい。即ち、本実施例におけるサービス満足はクラウドサーバーの一側で実現し、音声識別及び語義分析は知能デバイス側で実現し、もちろん、実際の応用で、音声識別及び語義分析はクラウドサーバー側で実現してもよい。
【００４７】
さらに、ステップ102の「受信した第一要求が知能デバイスを再度ウェイクアップするに用いられるのを確定する」の後に、さらに、クラウドサーバーに知能デバイス標識を持っている再度ウェイクアップ通知メッセージを発送して、クラウドサーバーが知能デバイス標識に基づいて、対応する知能デバイスの再度ウェイクアップを確定するようにし、第二要求に対応するサービス満足処理を停止することを含んでいてもよい。
【００４８】
このような方式で、知能デバイスが音声識別及び語義解析を行い、クラウドサーバーがサービス満足処理を実現する。知能デバイスは、第一要求を受信してから初歩的な判断を行い、ユーザーが知能デバイスを再度ウェイクアップすることを必要としていることを確定し、この時、知能デバイスは、直接にクラウドサーバーへ知能デバイス標識を持っている再度ウェイクアップ通知メッセージを発送する。このようにして、クラウドサーバーは、受信した知能デバイス標識に基づいて、対応する知能デバイスの再度ウェイクアップを確定し、第二要求に対応するサービス満足処理を停止する。例えば、第二要求に対応するサービスの照会を停止し、又は、知能デバイスでユーザーへ第二要求に対応するサービスを提供することを停止する。
【００４９】
または、ステップ102で「受信した第一要求が知能デバイスを再度ウェイクアップするに用いられるのを確定する」の後に、さらに、クラウドサーバーへ知能デバイス標識と第一要求を発送して、クラウドサーバーに知能デバイス標識に基づいて予め格納した知能デバイスのウェイクアップ単語を獲得させ、語義解析後の前記第一要求と予め格納したウェイクアップ単語が一致しているか否かを判断し、一致していると、受信した第一要求が知能デバイスの再度ウェイクアップに用いられることを確定し、第二要求に対応するサービス満足処理を停止することを含む。例えば、第二要求に対応するサービスを停止することを含んでいてもよく、又は、知能デバイスでユーザーに第二要求に対応するサービスを提供することを停止することを含む。
【００５０】
このような方式と上の方式の区別点は、知能デバイスは自体検出の結果をクラウドサーバーへ発送しなく、直接にクラウドサーバーへ知能デバイス標識と第一要求を発送し、クラウドサーバーによって知能デバイス標識に基づいて予め格納した知能デバイスのウェイクアップ単語を獲得し、語義解析後の前記第一要求と予め格納したウェイクアップ単語が一致しているか否かを判断し、一致していると、受信した第一要求が知能デバイスの再度ウェイクアップに用いられるのを確定し、第二要求に対応するサービス満足処理を停止することである。
【００５１】
好ましくは、実際の応用で、知能デバイスとクラウドサーバーは何れもサービス満足を実現でき、知能デバイスは、ある簡単なローカルで実現できるオフラインのサービスの満足を実現でき、クラウドサーバーは、ある複雑な、ネットワークによってこそ実現できるオンラインのサービスの満足を実現する。この時、好ましくは、前記実施例でのステップ 「ユーザーが音声方式で入力した第二要求を受信した」後、ステップ「クラウドサーバーへ知能デバイス標識と第二要求を発送する」前に、さらに、知能デバイスのローカルのサービス情報ベースで第二要求に対応するサービスを照会しなかったステップを含んでいてもよい。知能デバイスのローカルのサービス情報ベースには、ただローカルで実現できるサービスの名称、例えば、ユーザーが今日の株価指数を照会しようとすると、知能デバイスのローカルでは実現できないので、この時「今日の株価」のサービス名称は、ローカルのサービス情報ベースに格納されていない。その時、知能デバイスのローカルで当該第二要求に対応するサービスの満足を実現できない時、クラウドサーバーに当該第二要求を発送して、クラウドサーバーに当該第二要求に対応するサービスの満足を実現させる。例えば、知能デバイスのローカルであるオフラインのサービス、例えば、電話掛け、あるアプリの開き等を実現する。クラウドサーバーではあるオンラインのサービス、例えば今日の株式市場の株価の傾向、今日の電気、今日の為替レート等を実現する。
【００５２】
さらに、好ましくは、前記実施例の技術案の上で、「クラウドサーバーへ知能デバイス標識と第二要求を発送した」後、さらに、現在時刻とクラウドサーバーへ第二要求を発送する時刻の時間差を獲得し、クラウドサーバーが発送した第二要求のサービスフィードバックを受信するまでにユーザーに時間差を表示し、クラウドサーバーが発送した第二要求のサービスフィードバックを受信してから時間差の表示を取り消し、ユーザーが音声入力したユーザーが表示した時間差によって時間差が予め設定した時間長さより長いことを確定した時に発したウェイクアップ単語を受信して、知能デバイスを再度ウェイクアップする。
【００５３】
このような実施形態で、ユーザーにより知能デバイスを再度ウェイクアップすることを確定し、その前の要求を取り消す。具体的に、知能デバイスがクラウドサーバーへ要求を発送するたびに、1つの時計カウンタを起動して、現在時刻とクラウドサーバーへ第二要求を発送した時刻の時間差をカウントする。同時に、知能デバイスのディスプレイでユーザーにその時間差を表示する。このようにして、ユーザーはこの要求を発してからどのぐらいの時間が過ぎたかを理解でき、知能デバイスがクラウドサーバーがフィードバックするこの要求に対応するサービスを受信すると、知能デバイスのディスプレイ上の時計カウンタの表示を取り消してもよい。時計カウンタに示した時間差が予め設定の時間長さ、例えば60sより長くなり、クラウドサーバーの何れのサービスフィードバックを受信しなく、知能デバイスのディスプレイにまだますます増加させる時間差を表示すると、この時、ユーザーはその前の要求を取り消し、知能デバイスを再度ウェイクアップしてもよい。具体的に、ユーザーが知能デバイスへウェイクアップ単語を音声入力し、独立に操作又はクラウドサーバーに協力して当該知能デバイスを再度ウェイクアップすることを実現し、再度ウェイクアップする前に要求したサービス満足処理を取り消す。
【００５４】
または、前記実施例の技術案の上で、「クラウドサーバーへ知能デバイス標識と第二要求を発送」した後、さらに、第二要求を発送した後の予め予定の時間長さ内にクラウドサーバーのサービスフィードバックを受信したか否かを検出し、受信しなかったら、ユーザーに再度ウェイクアップの提示メッセージを表示し、ユーザーが音声入力した前記ウェイクアップ単語を受信して、知能デバイスを再度ウェイクアップするステップを含む。
【００５５】
このような実現形態と前記実現形態の区別点は、前記実現方式は、ユーザーによって知能デバイスの再度ウェイクアップを触発することである。本実現形態では、知能デバイスが検出し、第二要求を発送した後の予め予定の時間長さ内にクラウドサーバーのサービスフィードバックを受信しなかったら、知能デバイスがユーザーに知能デバイスを再度ウェイクアップすることを提示する。その後、ユーザーがウェイクアップ単語を音声入力して、知能デバイスを再度ウェイクアップする。
【００５６】
前記実施例の音声ウェイクアップ方法は、必要な時に、知能端末にウェイクアップ単語を入力して、再度ウェイクアップし、音声識別であると誤認しないので、命令識別の正確性を保証でき、ユーザーの予期を満足させることができる。このため、前記実施例のウェイクアップ方案は、ユーザーの要求を有効的に処理でき、ユーザーの使用体験度を有効的に向上させることができる。
【００５７】
図2は、本発明の音声ウェイクアップ方法の実施例二のフローチャートである。図2に示すように、本実施例の音声ウェイクアップ方法、具体的に以下のステップを含む。
【００５８】
200、知能デバイスが音声識別段階に進入した後、知能デバイスが発送した知能デバイス標識と知能デバイスが受信したユーザーが入力した第一要求を受信する。
【００５９】
201、知能デバイス標識に基づいて，予め格納した知能デバイスのウェイクアップ単語を獲得する。
【００６０】
202、語義解析後の第一要求と予め格納したウェイクアップ単語が一致しているか否かを判断し、一致していると、ステップ203を実行し、そうでないと、第一要求に対してサービス満足処理を行う。
【００６１】
203、受信した第一要求が知能デバイスを再度ウェイクアップするに用いられるのを確定する。
【００６２】
本実施例の音声ウェイクアップ方法の実行主体は、クラウドサーバーである。本実施例で、クラウドサーバーは少なくとも音声識別段階のサービス満足の実現を提供する。音声識別と語義解析は知能デバイス側で実現してもよく、クラウドサーバー側で実現してもよい。知能デバイス側で実現すると、ステップ200で知能デバイスが発送した知能デバイスが既に音声識別と音声解析を行った後の文字形式の第一要求を受信し、この時、知能デバイス標識を第一要求に付いていてもよい。音声識別と語義解析がクラウドサーバー側で実現されると、ステップ200で受信する知能デバイスが発送した第一要求は音声形式であってもよく、こと時、音声形式の第一要求に対して音声識別と語義解析を行ってもよい。知能デバイス側で受信したユーザーが入力した第一要求は全部音声形式である。
【００６３】
本実施例のクラウドサーバーは数え切れない知能デバイスをサポートできるので、知能デバイスがクラウドサーバーへ発送したメッセージ毎は全部当該知能デバイス標識を持っていなければならなく、クラウドサーバーがどの知能デバイスから発送したかを確定できるようにする。クラウドサーバーには知能デバイス毎のウェイクアップ単語が格納されており、ある知能デバイスの要求メッセージを受信してから、要求メッセージにおける当該知能デバイス標識に基づいて、予めに格納した当該知能デバイスのウェイクアップ単語を獲得してもよい。その後、語義解析後の前記第一要求と予め格納したウェイクアップ単語が一致しているか否かを判断し、一致していると、受信した第一要求が知能デバイスを再度ウェイクアップするに用いられるのを確定する。そうでないと、続いて第一要求に対してサービス満足処理を行う。
【００６４】
本実施例の音声ウェイクアップ方法が、クラウドサーバー側でウェイクアップ機能を実現し、実現原理が前記図1に示す実施例の技術案に類似し、詳細は前記図1に示す記載を参照してもよく、ここでは重複に記載しない。
【００６５】
本実施例の音声ウェイクアップ方法は、知能デバイスが音声識別段階に進入した後、クラウドサーバーが知能デバイスが発送した知能デバイス標識と知能デバイスが受信するユーザーが入力した第一要求を受信し、知能デバイス標識に基づいて予め格納した知能デバイスのウェイクアップ単語を獲得し、語義解析後の前記第一要求と予め格納したウェイクアップ単語が一致しているか否かを判断し、一致していると、受信した第一要求が知能デバイスを再度ウェイクアップするに用いられるのを確定する。本実施例の技術方案は、知能デバイスが音声識別段階に進入した後、受信した要求がウェイクアップ単語であると、当該要求に対してサービス満足処理を行うことなく、当該要求が再度ウェイクアップであることを識別でき、命令識別エラーを引き起こすことなく、ユーザーの予期を満足させることができ、本実施例の音声ウェイクアップ方案は、ユーザーの要求を有効的に処理でき、ユーザーの使用体験度を有効的に向上させることができる。
【００６６】
さらに、好ましくは、ステップ200で「知能デバイスが発送した知能デバイス標識と第一要求を受信する」前に、さらに、知能デバイスが発送した知能デバイス標識と知能デバイスが受信したユーザーが入力した第二要求を受信し、知能デバイスで第二要求に対応するサービス満足処理を実施することを開始することを含んでいてもよい。
【００６７】
ステップ203で「受信した第一要求が知能デバイスを再度ウェイクアップするに用いられるのを確定する」した後、さらに、第二要求に対応するサービス満足処理を停止することを含んでいてもよく、例えば、第二要求に対応するサービスを照会することを停止し、又は知能デバイスでユーザーに第二要求に対応するサービスを提供することを停止することを含んでいてもよい。
【００６８】
前記ステップの具体的な実現方式は前記知能デバイス側の技術案を参照してもよく、ここでは重複に記載しない。以上の記載によると、本発明の音声ウェイクアップ方法は、単独に知能デバイス側で実現してもよく、知能デバイスとクラウドサーバーの両側で実現してもよい。以下では、両側が結合したことを例とし、本発明の技術案を説明する。
【００６９】
図3は、本発明の音声ウェイクアップ方法の実施例三のシグナリング図である。図3に示すように、本実施例の音声ウェイクアップ方法は、具体的に以下のステップを含む。
【００７０】
300、知能デバイスがスタンバイ状態にある時、ユーザーは知能デバイスにウェイクアップ単語を音声入力する。
【００７１】
301、知能デバイスは、音声形式のウェイクアップ単語に対して音声識別と語義解析を行い、文字形式のウェイクアップ単語を獲得し、予め格納したウェイクアップ単語を獲得して、受信したウェイクアップ単語が予め格納したウェイクアップ単語と一致しているか否かを判断し確定し、知能デバイスをウェイクアップして、知能デバイスが音声識別段階に進入するようにする。
【００７２】
本実施例で、知能デバイスウェイクアップの1つの標識としては、ディスプレイが明るくなってもよい。
【００７３】
302、知能デバイスはディスプレイでユーザーに「既に音声識別段階に進入しました」を提示する。
【００７４】
303、知能デバイスが音声識別段階に進入した後、ユーザーは第二回に知能デバイスへウェイクアップ単語を音声入力する。
【００７５】
304、知能デバイスは第二回に受信したウェイクアップ単語を音声識別と語義解析を行い、語義解析後のウェイクアップ単語が予め格納したウェイクアップ単語と一致しているか否かを判断し確定して、ユーザーが知能デバイスを再度ウェイクアップすることを確定する。
【００７６】
即ち、ユーザーがまだ知能デバイスをウェイクアップしていると確定し、当該第二回のウェイクアップ単語は音声識別の命令として音声識別されない。
【００７７】
305、知能デバイスが音声識別段階に進入した後、ユーザーは、知能デバイスへ第一サービス要求を音声入力する。
【００７８】
306、知能デバイスは、第一サービス要求に対して音声識別と語義解析を行って、文字形式の第一サービス要求を獲得する。
【００７９】
307、知能デバイスはクラウドサーバーへ知能デバイス標識を持っている第一サービス要求を発送する。
【００８０】
308、クラウドサーバーは、第一サービス要求に基づいて対応するサービス結果を獲得する。
【００８１】
例えば、ユーザーが知能デバイスで「今日の天気はどうですか」との第一サービス要求を発すると、クラウドサーバーはネットワークにアクセスする。
【００８２】
309、クラウドサーバーは、知能デバイス標識に基づいて知能デバイスにサービス満足の結果を提供する。
【００８３】
310、知能デバイスはユーザーにサービス満足の結果を表示する。
【００８４】
本実施例は、知能デバイス側で音声識別と語義解析を行い、クラウドサーバーによりサービス満足を実現することを例とし、好ましくは、前記実施例で、知能デバイスは何れかの処理もしなく、完全に解放して、受信した全部の音声形式のウェイクアップ単語又は要求のみを全部直接にクラウドサーバーへ発送し、クラウドサーバーによって音声識別、語義解析及びサービス満足処理を行ってもよく、ここでは重複に記載しない。
【００８５】
本実施例の音声ウェイクアップ方法は、前記技術案を利用して、知能デバイスが音声識別段階に進入した後、ウェイクアップ単語を再度受信すると、当該ウェイクアップ単語に対してサービス満足処理をしなく、当該ウェイクアップ単語が知能デバイスの再度ウェイクアップを指示することを識別でき、命令識別エラーを引き起こしなく、ユーザーの予期を満足させることができる。本実施例の音声ウェイクアップ方案は、ユーザーの要求を有効的に処理でき、ユーザーの使用体験度を有効的に向上させることができる。
【００８６】
図4は、本発明の音声ウェイクアップ方法の実施例四のシグナリング図である。図4に示すように、本実施例の音声ウェイクアップ方法は、具体的に以下のステップを含む。
【００８７】
400、知能デバイスがスタンバイ状態にある時、ユーザーは知能デバイスにウェイクアップ単語を音声入力する。
【００８８】
401、知能デバイスは、クラウドサーバーへ音声形式のウェイクアップ単語と知能デバイス標識を発送する。
【００８９】
402、クラウドサーバーは、音声形式のウェイクアップ単語に対して音声識別と語義解析を行って、文字形式のウェイクアップ単語を獲得し、知能デバイス標識に基づいて予め格納した当該知能デバイスに対応するウェイクアップ単語を獲得し、受信したウェイクアップ単語が予め格納したウェイクアップ単語と一致しているか否かを判断し確定する。
【００９０】
403、クラウドサーバーは知能デバイスへウェイクアップ提示を発送して、知能デバイスを音声識別段階に進入させる。
【００９１】
404、知能デバイスは、ディスプレイでユーザーに「既に音声識別段階に進入しました」 を提示する。
【００９２】
好ましくは、前記ステップ400に従って、ユーザーはウェイクアップ単語を再度入力し、対応するにステップ401-404の処理によって、ユーザーが知能デバイスを再度ウェイクアップすることを確定でき、当該ウェイクアップ単語は他の音声命令として識別されない。
【００９３】
405、知能デバイスが音声識別段階に進入した後、ユーザーが知能デバイスへ第一サービス要求を音声入力する。
【００９４】
406、知能デバイスは、クラウドサーバーへ音声形式の第一サービス要求と知能デバイス標識を発送する。
【００９５】
407、クラウドサーバーは、第一サービス要求に対してサービス満足処理を行う。
【００９６】
408、ユーザーは、知能デバイスにウェイクアップ単語を再度音声入力する。
【００９７】
409、知能デバイスは、クラウドサーバーへ音声形式のウェイクアップ単語と知能デバイス標識を発送する。
【００９８】
410、クラウドサーバーは音声形式のウェイクアップ単語を音声識別と語義解析して、文字形式のウェイクアップ単語を獲得し、知能デバイス標識に基づいて、予め格納した当該知能デバイスに対応するウェイクアップ単語を獲得し、受信したウェイクアップ単語が予め格納したウェイクアップ単語と一致しているか否かを判断し確定する。
【００９９】
411、クラウドサーバーはユーザーが知能デバイスを再度ウェイクアップすることを要求することを確定し、第一サービスに対するサービス満足処理を停止する。
【０１００】
412、クラウドサーバーが知能デバイスへ再度ウェイクアップ指示メッセージを発送する。
【０１０１】
413、知能デバイスがユーザーに「既に再度ウェイクアップしました」を表示する。
【０１０２】
本実施例で、知能デバイスは何れかの処理も行わなく、完全に解放し、ただ受信した全部の音声形式のウェイクアップ単語又は要求を、全部直接にクラウドサーバーへ発送して、クラウドサーバーで音声識別、語義解析及びサービス満足処理を行う。好ましくは、知能デバイス側で音声識別と語義解析を行い、クラウドサーバーはただサービス満足処理だけを実現してもよく、ここでは重複に記載しない。
【０１０３】
本実施例の音声ウェイクアップ方法は、前記技術案を利用して、知能デバイスが音声識別段階に進入した後、第一要求に対してサービス満足処理を行った後、再度ウェイクアップ単語を受信すると、当該ウェイクアップ単語に対してサービス満足処理を、当該ウェイクアップ単語は知能デバイスの再度ウェイクアップを指示するに用いられることを識別でき、その前のサービス満足処理を停止し、識別エラーを引き起こしなく、ユーザーの予期を満足させることができ、本実施例の音声ウェイクアップ方案は、ユーザーの要求を有効的に処理でき、ユーザーの使用体験度を有効的に向上させることができる。
【０１０４】
図5は、本発明の知能デバイス実施例一の構造図である。図5に示すように、本実施例の知能デバイスは、具体的に、
知能デバイスが音声識別段階に進入すると、ユーザーが音声方式で入力した第一要求を受信する受信モジュール10と、
判断語義解析後の受信モジュール10が受信した第一要求と予め格納したウェイクアップ単語が一致しているか否かを判断する判断モジュール11と、
判断モジュール11が予め格納した前記ウェイクアップ単語と一致していると判断すると、受信した第一要求が知能デバイスを再度ウェイクアップするに用いられるのを確定する確定モジュール12とを含む。
【０１０５】
本実施例の知能デバイスは、前記モジュールを利用して音声ウェイクアップ処理を実現する実現原理及び技術効果が前記関連方法の実施例の実現と同じであるので、詳細は前記関連方法の実施例の記載を参照してもよく、ここでは重複に記載しない。
【０１０６】
図6は、本発明の知能デバイス実施例二の構造図である。図6に示すように、本実施例の知能デバイスは、前記図5に示す実施例の技術案の上で、さらに以下の技術案を含んでいてもよい。
【０１０７】
図6に示すように、本実施例の知能デバイスは、さらにサービス満足処理モジュール13を含んでいてもよい。
【０１０８】
ここで、受信モジュール10は、さらに、前記ユーザーが音声方式で入力した第二要求を受信する。
【０１０９】
サービス満足処理モジュール13は、受信モジュール10が受信した前記第二要求に基づいて、ローカルのサービス情報ベースで前記第二要求に対応するサービスを照会して、前記第二要求に対応するサービス満足処理の実施を開始する。
【０１１０】
さらに、サービス満足処理モジュール13は、さらに確定モジュール12が受信した第一要求が知能デバイスを再度ウェイクアップするに用いられるのを確定する時に、第二要求に対応するサービス満足処理を停止する。
【０１１１】
さらに、好ましくは、図6に示すように、本実施例の知能デバイスは、さらに、発送モジュール14を含む。
【０１１２】
受信モジュール10は、さらに、ユーザーが音声方式で入力した第二要求を受信する。
【０１１３】
発送モジュール14は、クラウドサーバーに知能デバイス標識と受信モジュール10が受信した第二要求を発送して、クラウドサーバーに知能デバイス上で前記第二要求に対応するサービス満足処理を開始させる。
【０１１４】
さらに、発送モジュール14は、さらに、クラウドサーバーに知能デバイス標識を持っている再度ウェイクアップ通知メッセージを発送して、クラウドサーバーが知能デバイス標識に基づいて、対応する知能デバイスの再度ウェイクアップを確定するようにし、第二要求に対応するサービス満足処理を停止する。
【０１１５】
又は、発送モジュール14は、さらに、クラウドサーバーに知能デバイス標識と受信モジュール10が受信した第一要求を発送して、クラウドサーバーが知能デバイス標識に基づいて予め格納した知能デバイスのウェイクアップ単語を獲得し、語義解析後の前記第一要求と予め格納したウェイクアップ単語が一致しているか否かを判断し、一致していると、受信した第一要求が知能デバイスの再度ウェイクアップに用いられることを確定し、第二要求に対応するサービス満足処理を停止する。
【０１１６】
さらに、好ましくは、本実施例の知能デバイスで、サービス満足処理モジュール13は、さらに前記知能デバイスのローカルのサービス情報ベースで第二要求に対応するサービスを照会されなかった。その時こそ発送モジュール14を触発して前記操作を実行させる。
【０１１７】
さらに、好ましくは、図6に示すように、本実施例の知能デバイスは、さらに、獲得モジュール15と表示モジュール16とを含む。
【０１１８】
獲得モジュール15は、現在時刻と発送モジュール14がクラウドサーバーへ第二要求を発送する時刻の時間差を獲得する。
【０１１９】
表示モジュール16は、クラウドサーバーが発送した第二要求のサービスフィードバックを受信するまでに、ユーザーに獲得モジュール15が獲得した時間差を表示し、サービスフィードバックを受信すると時間差の表示を取り消す。
【０１２０】
受信モジュール10は、さらにユーザーが表示された時間差に基づいて時間差が予め設定した時間長さより大きいことを確定した時に音声入力したウェイクアップ単語を受信して、知能デバイスを再度ウェイクアップする。
【０１２１】
又は、好ましくは、図6に示すように、本実施例の知能デバイスは、さらに、検出モジュール17を含む。
【０１２２】
検出モジュール17は、発送モジュール14が第二要求を発送した後の予め設定の時間長さ内に受信モジュール10がクラウドサーバーのサービスフィードバックを受信したか否かを検出する。
【０１２３】
表示モジュール16は、さらに、検出モジュール17が第二要求を発送してからの予め設定の時間長さ内にクラウドサーバーのサービスフィードバックを受信しなかったことを検出すると、ユーザーへ再度ウェイクアップの提示メッセージを表示する。
【０１２４】
受信モジュール10は、さらに、ユーザーが音声入力したウェイクアップ単語を受信して、知能デバイスを再度ウェイクアップさせる。
【０１２５】
本実施例の知能デバイスに含まれる前記モジュールは、結合する方式で何れかに組合せて本発明の好ましい実施例を形成してもよく、ここでは重複に記載しない。
【０１２６】
本実施例の知能デバイスは、前記モジュールを利用して音声ウェイクアップ処理を実現する実現原理及び技術効果が前記関連方法の実施例の実現と同じであるので、詳細は前記関連方法の実施例の記載を参照してもよく、ここでは重複に記載しない。
【０１２７】
図7は、本発明のクラウドサーバーの実施例一の構造図である。図7に示すように、本実施例のクラウドサーバーは、具体的に以下のモジュールを含んでいる。
【０１２８】
受信モジュール20は、知能デバイスが音声識別段階に進入した後、知能デバイスが発送した知能デバイス標識と知能デバイスが受信したユーザーが入力した第一要求を受信する。
【０１２９】
獲得モジュール21は、受信モジュール20が受信した知能デバイス標識に基づいて、予め格納した知能デバイスのウェイクアップ単語を獲得する。
【０１３０】
判断モジュール22は、語義解析後の受信モジュール20が受信した第一要求が獲得モジュール21が獲得した予め格納したウェイクアップ単語と一致しているか否かを判断する。
【０１３１】
確定モジュール23は、判断モジュール22が語義解析後の前記第一要求が予め格納した前記ウェイクアップ単語と一致していると判断すると、受信した第一要求が知能デバイスを再度ウェイクアップするに用いられるのを確定する。
【０１３２】
本実施例のクラウドサーバーで、前記モジュールを利用して音声ウェイクアップ処理を実現する実現原理及び技術効果が前記関連方法の実施例の実現と同じであるので、詳細は前記関連方法の実施例の記載を参照してもよく、ここでは重複に記載しない。
【０１３３】
図8は、本発明のクラウドサーバーの実施例二の構造図である。図8に示すように、本実施例のクラウドサーバーは、前記図7に示す実施例の技術案の上で、さらに以下の技術案を含んでいてもよい。
【０１３４】
図8に示すように、本実施例のクラウドサーバーは、さらに、サービス満足処理モジュール24を含む。
【０１３５】
受信モジュール20は、さらに、知能デバイスが発送した知能デバイス標識と知能デバイスが受信したユーザーが入力した第二要求を受信する。
【０１３６】
サービス満足処理モジュール24は、知能デバイスで受信モジュール20が受信した第二要求に対応するサービス満足処理の実施を開始する。
【０１３７】
さらに、サービス満足処理モジュール24は、確定モジュール23が受信した第一要求が知能デバイスを再度ウェイクアップするに用いられるのを確定する時に用いられる。第二要求に対応するサービス満足処理を停止する。
【０１３８】
本実施例のクラウドサーバーで、前記モジュールを利用して音声ウェイクアップ処理を実現する実現原理及び技術効果が前記関連方法の実施例の実現と同じであるので、詳細は前記関連方法の実施例の記載を参照してもよく、ここでは重複に記載しない。
【０１３９】
図9は、本発明の音声ウェイクアップシステムの実施例の構造図である。図9に示すように、本実施例のウェイクアップシステムは、知能デバイス30とクラウドサーバー40とを含む。
【０１４０】
本実施例の知能デバイス30は、前記図6に示す実施例のクラウドサーバー40と対話できる知能デバイスを利用してもよく、本実施例のクラウドサーバー40は前記図7又は図8に示す実施例のクラウドサーバーを利用してもよい。また、具体的に、前記図2、図3又は図4に示す実施例の音声ウェイクアップ方法を利用してもよく、詳細には、前記関連実施例の記載を参照してもよく、ここでは重複に記載しない。
【０１４１】
図10は、本発明の知能デバイス実施例の構造図である。図10に示すように、本実施例の知能デバイスは、1つ又は複数のプロセッサー30と、メモリ40とを含み、メモリ40は、1つ又は複数のプログラムを記憶し、メモリ40に記憶された1つ又は複数のプログラムが1つ又は複数のプロセッサー30によって実行されると、1つ又は複数のプロセッサー30が前記図1に示す実施例の音声ウェイクアップ方法を実現する。図10に示す実施例は、複数のプロセッサー30を含んでいることを例とする。
【０１４２】
同じ理由によって、本実施例のクラウドサーバーは、前記図10に示す構造を利用してもよく、1つ又は複数のプロセッサー30とメモリ10を含み、ここで、メモリ40に記憶された1つ又は複数のプログラムが1つ又は複数のプロセッサー30に実行されて、1つ又は複数のプロセッサー30が図2に示す実施例の音声ウェイクアップ方法を実現する。
【０１４３】
例えば、図11は、本発明で提供するクラウドサーバーの例示図である。図11は、本発明の実施形態の例示的なクラウドサーバー12aを示すためのブロック図を示した。図11に示すクラウドサーバー12aはただ1つの例示で、本発明の実施例の機能及び使用範囲に何れの制限を与えるべきでない。
【０１４４】
図11に示すように、クラウドサーバー12aは、通用の計算デバイスの形式で表現される。クラウドサーバー12aの構成要素は、1つ又は複数のプロセッサー16aと、システムメモリ28aと、異なるシステム構成要素（システムメモリ28aとプロセッサー16aを含む）を接続するためのバス18aを含んでいてもよいが、これらに限定されない。
【０１４５】
バス18aは、複数種類のバス構造における1つまたは複数を示し、メモリバスまたはメモリ制御器、外装バス、グラフィックス高速化ポート、プロセッサーまたは複数種類のバス構造における何れのバス構造のローカルバスなどを含む。例えば、これらのアーキテクチャー構造は、工業基準体系構造（ISA）バス、マイクロチャネルのアーキテクチャー（MAC）バス、増強型ISAバス、ビデオ電子基準協会（VESA）ローカルバス及び周辺コンポーネント相互接続（PCI（peripheral component interconnect））バスなどを含んでいても良いが、これらに限定されない。
【０１４６】
クラウドサーバー12aは、代表的に複数のコンピュータシステム可読媒体を含んでいる。これらの媒体は、何れのコンピュータシステム/サーバー12aによって接続できる利用可能な媒体で、揮発性及び不揮発性媒体と、ポータブル又はアンポータブルな媒体を含んでいてもよい。
【０１４７】
システムメモリ28aは、揮発性メモリ形式のコンピュータシステム可読媒体、例えば、ランダムアクセスメモリ（RAM）30a及び/または高速キャッシュメモリ32aを含んでいてもよい。クラウドサーバー12aは、さらに、他のポータブル又はアンポータブルな、揮発性/不揮発性コンピュータシステム記憶媒体を含んでいてもよい。ただ一例として、記憶システム34aは、アンポータブルな、不揮発性磁気媒体（図11に示していない、通常に「ハードウェアドライバ」と呼ばれる）の読み書きに用いられてもよい。図11に示していないが、ポータブルな不揮発性磁気ディスク（例えば、「フロッピー（登録商標）ディスク））に読み書くことができる磁気ディスクドライバ、及びポータブルな不揮発性光ディスク（例えば、CD-ROM、DVD-ROMまたは他の光媒体）に読み書くことができる光ディスクドライバを提供しても良い。これらの場合、各ドライバは、1つまたは複数のデータ媒体インターフェースでバス18aに接続してもよい。システムメモリ28aは、少なくとも1つのプログラム製品を含んでいてもよく、当該プログラム製品は、一組（例えば、少なくとも1つの）のプログラムモジュールを備えており、これらのプログラムモジュールは本発明の前記図１−図９の各実施例の機能を実行するように配置されている。
【０１４８】
一組（少なくとも1つの）のプログラムモジュール42aを有するプログラム/実用アプリ40aは、例えばシステムメモリ28に記憶されていてもよく、このようなプログラムモジュール42aは、操作システム、1つまたは複数のアプリケーションプログラム、他のプログラムモジュール及びプログラムデータを含んでいても良いが、これらに限定されない。これらの例示に於ける一種類毎又はある組合せにはネットワーク環境での実現を含んでいてもよい。プログラムモジュール42aは、通常、本発明に記載した前記図１−図９の各実施例に於ける機能及び/又は方法を実行する。
【０１４９】
クラウドサーバー12aは、1つ又は複数の外部デバイス14a（例えば、キーパッド、ポインティングデバイス、ディスプレイ24a等）と通信してもよく、ユーザーを当該クラウドサーバー12aと対話させる1つ又は複数のデバイスと通信してもよく、及び/または当該クラウドサーバー12aを1つ又は複数の他の計算デバイスと通信させるいかなるデバイス（例えば、ネットワークカード、モデム等）と通信してもよい。このような通信は、入力/出力（I/O）インターフェース22aを介して実行してもよい。また、クラウドサーバー12aは、さらにネットワークアダプタ20aを介して1つ又は複数のネットワーク（例えば、ローカル・エリア・ネットワーク（LAN）、はワイド・エリア・ネットワーク（WAN）及び/または公共ネットワーク、例えば、インターネット）と通信してもよい。図に示すように、ネットワークアダプタ20aは、バス18aを介してクラウドサーバー12aの他のモジュールと通信してもよい。図に示していないが、クラウドサーバー12aを結合して、マイクロコード、デバイスドライバ、冗長処理手段、外部磁気ディスクドライバアレイ、RAIDシステム、磁気テープドライバ及びデータバックアップ記憶システム等を含む他のハードウェアを利用することができるが、これらに限定されない。
【０１５０】
プロセッサー16aは、システムメモリ28aに格納されているプログラムを実行して、色々な機能アプリ及びデータ処理を実行し、例えば、前記実施例に示すウェイクアップ方法を実現する。
【０１５１】
本発明は、さらに、コンピュータプログラムを格納しているコンピュータ可読記憶媒体を提供し、当該プログラムがプロセッサーによって実行される時に、前記図1に示す実施例に示すウェイクアップ方法、又は、図2に示す実施例に示すウェイクアップ方法を実現する。
【０１５２】
本実施例のコンピュータ可読記憶媒体は、前記図11に示す実施例でのシステムメモリ28aにおけるRAM30a、及び/または高速キャッシュメモリ32a、及び/または記憶システム34aを含んでいてもよい。
【０１５３】
科学技術の発展に伴って、コンピュータプログラムの伝播は有形の媒体に限られなく、直接にネットワークからダウンロードしてもよく、又は他の方式で獲得してもよい。そのため、本実施例におけるコンピュータ可読媒体は有形の媒体を含むばかりでなく、無形の媒体も含んでいてもよい。
【０１５４】
本実施例のコンピュータ可読媒体は、1つまたは複数のコンピュータ可読媒体の何れの組み合わせを使用してもよい。コンピュータ可読媒体は、コンピュータ可読信号媒体、またはコンピュータ可読記憶媒体であってもよい。コンピュータ可読記憶媒体は、例えば、電気、磁気、光学、電磁、赤外線、または半導体のシステム、装置またはデバイス、又はこれらの何れの組み合わせであってもよいが、これらに限定されない。コンピュータ可読記憶媒体のより具体的な例（非汲尽くしのリスト）としては、1つまたは複数のリード線を有する電気的接続、携帯型コンピュータディスク、ハードディスク、ランダム・アクセス・メモリ（RAM）、読み出し専用メモリ（ROM）、イーピーロム（EPROMまたはフラッシュメモリ）、光ファイバ、携帯コンパクトディスク読み出し専用メモリ（CD-ROM）、光記憶装置、磁気記憶装置、またはこれらの何れの適切な組み合わせを含む。本明細書において、コンピュータ可読記憶媒体は、命令実行システム、装置またはデバイスによって利用できまたはこれらと組み合わせて利用できるプログラムを含みまたは記憶している何れかの有形媒体であってもよい。
【０１５５】
コンピュータ可読信号媒体は、ベースバンドにおいてまたはキャリヤーの一部として伝播するコンピュータ可読なプログラムコードを搭載したデータ信号を含んでいてもよい。このような伝播するデータ信号は、様々な形態をとることができ、電磁信号、光信号、またはこれらの何れの適切な組み合わせを含んでいてもよいが、これらに限定されない。コンピュータ可読信号媒体は、コンピュータ可読記憶媒体以外の何れかのコンピュータ可読媒体であってもよく、当該コンピュータ可読媒体は、命令実行システム、装置またはデバイスによって使用されまたはこれらに結合されて使用されるプログラムを送信し、伝播し、送信することができる。
【０１５６】
コンピュータ可読媒体に含まれるプログラムコードは、無線、ワイヤ、ケーブル、RF等、またはこれらの何れかの適切な組み合わせの何れかの適切な媒体で送信されてもよいが、これらに限定されない。
【０１５７】
1つまたは複数のプログラム設計言語またはこれらの組合せで、本発明の動作を実行するためのコンピュータプログラムコードを書き込むことができ、前記プログラム設計言語は、オブジェクト指向プログラミング言語、例えばJava（登録商標）、Smalltalk、C++を含み、常用の過程式プログラム設計言語、例えば「C」言語または類似なプログラム設計言語を含む。プログラムコードは、完全にユーザーのコンピュータ上で実行されてもよく、一部はユーザーのコンピュータで実行されて1つの独立したソフトウェアパッケージとして実行されてもよく、一部はユーザーのコンピュータで、一部はリモートコンピュータで実行されてもよく、または、完全にリモートコンピュータまたはサーバーで実行されてもよい。リモートコンピュータに関するものの場合は、リモートコンピュータは、ローカル・エリア・ネットワーク（LAN）またはワイド・エリア・ネットワーク（WAN）を含む何れの種類のネットワークを介して、ユーザコンピュータに接続されてもよく、あるいは、外部コンピュータ（例えば、インターネット・サービス・プロバイダを利用してインターネットを介して接続する）に接続してもよい。
【０１５８】
本発明で提供する幾つかの実施例で開示したシステム、装置及び方法は、他の方式によって実現できるのは理解すべきである。例えば、以上に記載した装置の実施例はただ例示的なもので、例えば、前記手段の分割はただロジック機能の分割で、実際に実現する時は他の分割方式によってもよい。
【０１５９】
以上で分離部材として説明した手段は、物理上で分離したものであってもよく物理上で分離しなかったものであってもよく、手段として表示した部材は物理手段であってもよく、物理手段でないでもよく、即ち、同一の位置にあってもよく、複数のネットワーク手段に分布されていてもよい。実際の必要によってその中における一部または全部手段を選択して本実施例の方案の目的を実現してもよい。
【０１６０】
また、本発明の各実施例における各機能手段は一つの処理手段に集積してもよく、各手段が物理上で単独に存在してもよく、二つ又は二つ以上の手段を一つの手段に集積してもよい。前記集積した手段は、ハードウェアの形式で実現してもよく、ハードウェアにソフトウェアの機能手段を結合する形式で実現してもよい。
【０１６１】
上記のソフト機能手段の形式で実現した集積した手段は、一つのコンピュータ可読記憶媒体に記憶してもよい。前記ソフト機能手段は一つの記憶媒体に記憶してもよく、複数の命令を含んで一つのコンピューターデバイス（パーソナルコンピューター、サーバー、又はネットワークデバイス等）又はプロセッサ（processor）によって、本発明の各実施例の前記方法の一部のステップを実行させてもよい。前記記憶媒体は、Uディスク、ポータブルハードウェア、読み出し専用メモリ（Read-Only Memory、ROM）、ランダムアクセスメモリ（Random Access Memory、RAM）、ディスク又は光ディスク等のプログラムコードを記憶できる複数種類の媒体を含む。
【０１６２】
以上はただ本発明の好ましい実施例であり、これによって本発明を制限するものではなく、本発明の主旨及び原則の範囲で行った何れかの修正、等価置換、改良等は、全部本発明の保護範囲に含まれる。
【図１】
2019015952.tif 000003
【図２】
2019015952.tif 000004
【図３】
2019015952.tif 000005
【図４】
2019015952.tif 000006
【図５】
2019015952.tif 000007
【図６】
2019015952.tif 000008
【図７】
2019015952.tif 000009
【図８】
2019015952.tif 000010
【図９】
2019015952.tif 000011
【図１０】
2019015952.tif 000012
【図１１】
2019015952.tif 000013